(57)【要約】  仮想会議室を用いた議論に参加する参加者を効率よく評価することができる環境を提供する。  そのために情報処理装置は、参加者を検索するための検索条件の入力を受け付ける条件入力受付処理を実行する条件受付部と、前記検索条件に基づいて参加者の検索を行い、検索結果として抽出した抽出人物のそれぞれを選択可能に提示する参加者検索処理部と、前記参加者検索処理部が提示した抽出人物の中から選択された選択人物の発言履歴を抽出する発言履歴抽出処理を実行する発言履歴抽出部と、前記発言履歴抽出処理で抽出した発言履歴のそれぞれの発言を選択可能に提示する発言履歴提示処理を実行する発言履歴提示部と、前記選択可能に提示された発言から選択された選択発言の前または後の一部の発言を抽出する前後発言抽出処理を実行する前後発言抽出部と、前記選択発言と共に前記前後発言抽出処理で抽出した発言を提示する前後発言提示処理を実行する前後発言提示部とを備える。
2016189685.tif 000002
【特許請求の範囲】
【請求項１】
参加者を検索するための検索条件の入力を受け付ける条件入力受付処理を実行する条件受付部と、
前記検索条件に基づいて参加者の検索を行い、検索結果として抽出した抽出人物のそれぞれを選択可能に提示する参加者検索処理部と、
前記参加者検索処理部が提示した抽出人物の中から選択された選択人物の発言履歴を抽出する発言履歴抽出処理を実行する発言履歴抽出部と、
前記発言履歴抽出処理で抽出した発言履歴のそれぞれの発言を選択可能に提示する発言履歴提示処理を実行する発言履歴提示部と、
前記選択可能に提示された発言から選択された選択発言の前または後の一部の発言を抽出する前後発言抽出処理を実行する前後発言抽出部と、
前記選択発言と共に前記前後発言抽出処理で抽出した発言を提示する前後発言提示処理を実行する前後発言提示部とを備えた
情報処理装置。
【請求項２】
前記前後発言提示処理では、前記抽出した発言の提示と共に、当該発言を行った参加者のうち少なくとも一部の参加者の識別情報を提示する
請求項１に記載の情報処理装置。
【請求項３】
前記前後発言提示処理では、当該発言を行った参加者のうち、前記抽出人物以外の参加者のみ識別情報を提示する
請求項２に記載の情報処理装置。
【請求項４】
前記前後発言提示処理では、当該発言を行った参加者のうち、前記抽出人物のみ識別情報を提示する
請求項２に記載の情報処理装置。
【請求項５】
前記前後発言提示処理では、当該発言を行った参加者のうち、前記選択発言の前と後の双方に発言を行った参加者のみ識別情報を提示する
請求項３または請求項４に記載の情報処理装置。
【請求項６】
前記前後発言提示処理では、当該発言を行った参加者のうち、前記選択発言と前記選択人物が前記選択発言の一つ前または一つ後に行ったいずれかの発言との間に発言を行った参加者のみ識別情報を提示する
請求項３または請求項４に記載の情報処理装置。
【請求項７】
前記前後発言抽出処理では、所定の文字数以上の発言のみを抽出する
請求項１に記載の情報処理装置。
【請求項８】
前記前後発言提示処理では、前記選択発言が行われたときの参加者全てを提示する
請求項１に記載の情報処理装置。
【請求項９】
議論の結論を示した発言をまとめ発言として特定する結論特定部を備え、
前記前後発言提示処理では、前記選択発言と共に前記選択発言の後に発言された前記まとめ発言を提示する
請求項１に記載の情報処理装置。
【請求項１０】
前記発言履歴提示処理では、前記選択人物の新規発言によって発言履歴が更新されるごとに更新された発言履歴を提示する
請求項１に記載の情報処理装置。
【請求項１１】
参加者を検索するための検索条件の入力を受け付ける条件入力受付処理ステップと、
前記検索条件に基づいて参加者の検索を行い、検索結果として抽出した抽出人物のそれぞれを選択可能に提示する参加者抽出処理ステップと、
前記参加者抽出処理ステップで提示した抽出人物の中から選択された選択人物の発言履歴を抽出する発言履歴抽出処理ステップと、
前記発言履歴抽出処理ステップで抽出した発言履歴のそれぞれの発言を選択可能に提示する発言履歴提示処理ステップと、
前記選択可能に提示された発言から選択された選択発言の前または後の一部の発言を抽出する前後発言抽出処理ステップと、
前記選択発言と共に前記前後発言抽出処理ステップで抽出した発言を提示する前後発言提示処理ステップとを
情報処理装置に実行させる情報処理方法。
【請求項１２】
参加者を検索するための検索条件の入力を受け付ける手順と、
前記検索条件に基づいて参加者の検索を行い、検索結果として抽出した抽出人物のそれぞれを選択可能に提示する手順と、
前記抽出人物の中から選択された選択人物の発言履歴を抽出する手順と、
前記抽出した発言履歴のそれぞれの発言を選択可能に提示する手順と、
前記選択可能に提示された発言から選択された選択発言の前または後の一部の発言を前後発言として抽出する手順と、
前記選択発言と共に前記前後発言を提示する手順とを
演算処理装置に実行させるプログラム。
【請求項１３】
参加者を検索するための検索条件の入力を受け付ける手順と、
前記検索条件に基づいて参加者の検索を行い、検索結果として抽出した抽出人物のそれぞれを選択可能に提示する手順と、
前記抽出人物の中から選択された選択人物の発言履歴を抽出する手順と、
前記抽出した発言履歴のそれぞれの発言を選択可能に提示する手順と、
前記選択可能に提示された発言から選択された選択発言の前または後の一部の発言を前後発言として抽出する手順と、
前記選択発言と共に前記前後発言を提示する手順とを
演算処理装置に実行させるプログラムを記憶した記憶媒体。
【発明の詳細な説明】
【技術分野】
【０００１】
本発明は、情報処理装置、情報処理方法、プログラム、記憶媒体に関し、具体的には、仮想会議室における発言の抽出と提示に関する。
【先行技術文献】
【特許文献】
【０００２】
【特許文献１】特開２０１２−７４８０８号公報
【背景技術】
【０００３】
学生が実際に企業に集まり業務を体験するインターンシップが知られている。近年では、インターネットなどの通信網を利用して、遠隔地から参加可能なウェブインターンシップを実施している企業がある。このようなウェブインターンシップは、実際に企業に集まることが困難な地域に住んでいる学生や、時間を取ることが難しい学生にとって利便性が高い。
ウェブインターンシップでは、仮想会議室を用いて、参加者間で議論させる課題を課すことがある。仮想会議室を用いるシステムとしては、例えば特許文献１に示すものが知られている。このようなシステムを用いて仮想会議を実施した場合、主催者側（例えば会社側の人事担当者）が参加者の素質や性格などを把握するためには、仮想会議室で行われる各発言の内容を確認する必要がある。
【発明の概要】
【発明が解決しようとする課題】
【０００４】
ところが、参加者が多い場合には個々の参加者の評価が困難であったり、時間を要してしまったりすることがある。また、参加者が複数の仮想会議室に振り分けられた状態で、議論が行われた場合、複数の仮想会議室で同時進行される議論の全てを把握することは困難であり、各参加者を適正に評価することが難しくなる。
本発明は、このような課題に鑑みてなされたものであり、仮想会議室を用いた議論に参加する参加者を効率よく評価することができる環境を提供することを目的とする。
【課題を解決するための手段】
【０００５】
本発明に係る情報処理装置は、参加者を検索するための検索条件の入力を受け付ける条件入力受付処理を実行する条件受付部と、前記検索条件に基づいて参加者の検索を行い、検索結果として抽出した抽出人物のそれぞれを選択可能に提示する参加者検索処理部と、前記参加者検索処理部が提示した抽出人物の中から選択された選択人物の発言履歴を抽出する発言履歴抽出処理を実行する発言履歴抽出部と、前記発言履歴抽出処理で抽出した発言履歴のそれぞれの発言を選択可能に提示する発言履歴提示処理を実行する発言履歴提示部と、前記選択可能に提示された発言から選択された選択発言の前または後の一部の発言を抽出する前後発言抽出処理を実行する前後発言抽出部と、前記選択発言と共に前記前後発言抽出処理で抽出した発言を提示する前後発言提示処理を実行する前後発言提示部とを備えたものである。
これにより、注目したい人物（検索条件により抽出された抽出人物から選択された選択人物）の発言履歴が抽出されて提示されると共に、選択発言を前後の他人の発言と共に抽出して提示する環境が提供される。【０００６】
上記した情報処理装置における前記前後発言提示処理では、前記抽出した発言の提示と共に、当該発言を行った参加者のうち少なくとも一部の参加者の識別情報を提示するものである。
これにより、各発言の位置づけや関係性が把握しやすくされる。【０００７】
上記した情報処理装置における前記前後発言提示処理では、当該発言を行った参加者のうち、前記抽出人物以外の参加者のみ識別情報を提示するものである。
これにより、検索条件に合致していない参加者の発言が識別情報と共に提示される。【０００８】
上記した情報処理装置における前記前後発言提示処理では、当該発言を行った参加者のうち、前記抽出人物のみ識別情報を提示するものである。
これにより、検索条件に合致した参加者の発言が識別情報と共に提示される。【０００９】
上記した情報処理装置における前記前後発言提示処理では、当該発言を行った参加者のうち、前記選択発言の前と後の双方に発言を行った参加者のみ識別情報を提示するものである。
これにより、選択人物の評価を行う上で重要な会話のやりとりを行っていると推定される参加者の識別情報が発言と共に提示される。【００１０】
上記した情報処理装置における前記前後発言提示処理では、当該発言を行った参加者のうち、前記選択発言と前記選択人物が前記選択発言の一つ前または一つ後に行ったいずれかの発言との間に発言を行った参加者のみ識別情報を提示するものである。
これにより、選択人物の評価を行う上で重要な会話のやりとりを行っていると推定される参加者の識別情報が発言と共に提示される。【００１１】
上記した情報処理装置における前記前後発言抽出処理では、所定の文字数以上の発言のみを抽出するものである。
これにより、例えば、相槌を打つだけの文字数の少ない発言は抽出されない。【００１２】
上記した情報処理装置における前記前後発言提示処理では、前記選択発言が行われたときの参加者全てを提示するものである。
これにより、選択発言が行われたときの状況を把握するための情報が提示される。【００１３】
上記した情報処理装置は、議論の結論を示した発言をまとめ発言として特定する結論特定部を備え、前記前後発言提示処理では、前記選択発言と共に前記選択発言の後に発言された前記まとめ発言を提示するものである。
これにより、選択発言と議論の結論が共に提示される。【００１４】
上記した情報処理装置における前記発言履歴提示処理では、前記選択人物の新規発言によって発言履歴が更新されるごとに更新された発言履歴を提示するものである。
これにより、会議室に入室しなくとも選択人物の発言履歴が更新される。【００１５】
本発明に係る情報処理方法は、参加者を検索するための検索条件の入力を受け付ける条件入力受付処理ステップと、前記検索条件に基づいて参加者の検索を行い、検索結果として抽出した抽出人物のそれぞれを選択可能に提示する参加者抽出処理ステップと、前記参加者抽出処理ステップで提示した抽出人物の中から選択された選択人物の発言履歴を抽出する発言履歴抽出処理ステップと、前記発言履歴抽出処理ステップで抽出した発言履歴のそれぞれの発言を選択可能に提示する発言履歴提示処理ステップと、前記選択可能に提示された発言から選択された選択発言の前または後の一部の発言を抽出する前後発言抽出処理ステップと、前記選択発言と共に前記前後発言抽出処理ステップで抽出した発言を提示する前後発言提示処理ステップとを、情報処理装置に実行させるものである。
この情報処理方法により、議論に参加する参加者を効率よく評価することができる環境を提供するための処理が実行される。【００１６】
本発明に係るプログラムは、上記情報処理方法として実行する処理を演算処理装置に実行させるプログラムである。
本発明に係る記憶媒体は、上記プログラムを記憶した記憶媒体である。これらのプログラムや記憶媒体により上記の情報処理装置を実現する。
【発明の効果】
【００１７】
本発明によれば、議論に参加する参加者を効率よく評価することができる環境を提供することができる。
【図面の簡単な説明】
【００１８】
【図１】本発明の実施の形態の全体の構成を示す図である。
【図２】本実施の形態の仮想会議室サーバのブロック図である。
【図３】本実施の形態のコンピュータのブロック図である。
【図４】全体の処理の流れを示す図である。
【図５】検索画面の一例を示す図である。
【図６】抽出参加者表示画面の一例を示す図である。
【図７】発言履歴表示画面の一例を示す図である。
【図８】前後発言表示画面の第１例を示す図である。
【図９】前後発言表示画面の第２例を示す図である。
【図１０】前後発言表示画面の第３例を示す図である。
【図１１】前後発言表示画面の第４例を示す図である。
【図１２】前後発言表示画面の第５例を示す図である。
【図１３】前後発言抽出処理の別の第１例における前後発言表示画面の例を示す図である。
【図１４】前後発言抽出処理の別の第２例における前後発言表示画面の例を示す図である。
【発明を実施するための形態】
【００１９】
本実施の形態においては、ウェブインターンシップを実施する企業が仮想会議室を用いて参加者に議論をさせる例を説明する。仮想会議室を提供し、参加者の評価の一助となる様々な機能を提供する情報処理装置としては、仮想会議室サーバを例に挙げる。
以下、実施の形態を次の順序で説明する。
【００２０】
＜１．全体構成＞
＜２．ハードウエア構成＞
＜３．各種データベース＞
＜４．処理の流れ＞
＜５．前後発言表示画面＞
［５−１．第１例］
［５−２．第２例］
［５−３．第３例］
［５−４．第４例］
［５−５．第５例］
＜６．前後発言抽出処理の別の例＞
［６−１．別の第１例］
［６−２．別の第２例］
＜７．変形例＞
＜８．まとめ＞
＜９．プログラム及び記憶媒体＞
【００２１】
＜１．全体構成＞
本実施の形態の仮想会議室サーバ１を含むネットワークシステム全体の構成を図１及び図２を用いて説明する。
尚、以下の説明においては、仮想会議室サーバ１を使用する主催者側の人物（例えば、人事担当者）を管理者として説明する。
図１に示すように、本実施の形態の仮想会議室サーバ１は、通信ネットワーク２を介して、参加者端末３，３，３・・・、管理者端末４と相互に通信可能な状態に接続されている。
【００２２】
仮想会議室サーバ１は、仮想会議室を用いた会議や討論に参加する参加者を必要に応じていくつかのグループに分ける機能を提供する。また、各グループに対して仮想会議室を割り当てる機能を提供する。更に、参加者や発言の検索機能を提供する。加えて、検索結果として抽出された参加者や発言を提示する機能を提供する。
【００２３】
仮想会議室サーバ１は、上記した各種の機能を提供するために、様々なＤＢ（Database）を管理する。例えば、仮想会議室の情報が記憶される会議室ＤＢ５０、仮想会議室を用いた討論に参加する参加者の情報が記憶される参加者ＤＢ５１、各仮想会議室において行われた発言のログが記憶されるログＤＢ５２などである。
各ＤＢについての詳細は、後述する。
【００２４】
仮想会議室サーバ１の構成を、図２を参照してより詳細に述べる。
仮想会議室サーバ１は、条件受付部１ａ、参加者検索処理部１ｂ、発言履歴抽出部１ｃ、発言履歴提示部１ｄ、前後発言抽出部１ｅ、前後発言提示部１ｆ、結論特定部１ｇを備える。
【００２５】
条件受付部１ａは、参加者や発言を検索するための検索条件の入力を受け付ける条件入力受付処理を実行する。
参加者検索処理部１ｂは、特定の参加者を検索するための検索条件に基づいて検索を行い、条件に合致した参加者を抽出人物として抽出する抽出処理を実行する。また、抽出した検索結果を参加者端末３や管理者端末４へ提示する抽出参加者提示処理を実行する。
【００２６】
発言履歴抽出部１ｃは、抽出人物からユーザが選択した人物（選択人物）の発言履歴を抽出する発言履歴抽出処理を実行する。
発言履歴提示部１ｄは、抽出した発言履歴を参加者端末３や管理者端末４へ提示する発言履歴提示処理を実行する。
【００２７】
前後発言抽出部１ｅは、提示された選択人物の発言履歴から選択された発言（選択発言）と、その前後の発言の一部（前後発言）を抽出する前後発言抽出処理を実行する。
前後発言提示部１ｆは、抽出した前後発言を参加者端末３や管理者端末４へ提示する抽前後発言提示処理を実行する。
【００２８】
結論特定部１ｇは、議論や討論の結論部分となる発言を特定する結論特定処理を実行する。
他にも、参加者の会議室への割り当てや、入退室管理を行いログに記憶する処理や、会議室選択画面や仮想会議室画面をユーザ端末上で表示させるための各種ウェブページデータを生成する処理や、ウェブページデータを送信する処理などを実行する。そのために、仮想会議室サーバ１には必要な各部が設けられている。
【００２９】
図１の構成において、通信ネットワーク２の構成は特に限定されるものではなく、例えば、インターネット、イントラネット、エキストラネット、ＬＡＮ（Local Area Network）、ＣＡＴＶ（Community Antenna TeleVision）通信網、仮想専用網（Virtual Private Network）、電話回線網、移動体通信網、衛星通信網などが想定される。
また通信ネットワーク２の全部又は一部を構成する伝送媒体についても多様な例が想定される。例えばＩＥＥＥ（Institute of Electrical and Electronics Engineers）１３９４、ＵＳＢ（Universal Serial Bus）、電力線搬送、電話線などの有線でも、ＩｒＤＡ（Infrared Data Association）のような赤外線、ブルートゥース（登録商標）、８０２．１１無線、携帯電話網、衛星回線、地上波デジタル網などの無線でも利用可能である。
【００３０】
図１に示す参加者端末３は、ウェブインターンシップに参加する参加者が使用する端末である。
管理者端末４は、例えば、仮想会議室を管理し、ウェブインターンシップを主催する企業の人事担当者などが使用する情報処理装置である。尚、仮想会議室を管理する企業が別にあり、ウェブインターンシップを主催する企業が仮想会議室を借りて参加者に討論させる場合にも本発明は適用可能である。
参加者端末３や管理者端末４では、必要に応じて各種の送受信処理などが実行される。  また、参加者端末３や管理者端末４は、例えば、通信機能を備えたＰＣ（Personal Computer）やフィーチャーフォンやＰＤＡ（Personal Digital Assistants）、或いは、スマートフォンやタブレット端末などのスマートデバイスなどである。
【００３１】
＜２．ハードウエア構成＞
図３は、図１に示した仮想会議室サーバ１、参加者端末３、及び管理者端末４のハードウエアを例示する図である。それぞれのサーバや端末におけるコンピュータ装置のＣＰＵ（Central Processing Unit）１０１は、ＲＯＭ（Read Only Memory）１０２に記憶されているプログラム、または記憶部１０８からＲＡＭ（Random Access Memory）１０３にロードされたプログラムに従って各種の処理を実行する。ＲＡＭ１０３にはまた、ＣＰＵ１０１が各種の処理を実行する上において必要なデータなども適宜記憶される。
ＣＰＵ１０１、ＲＯＭ１０２、およびＲＡＭ１０３は、バス１０４を介して相互に接続されている。このバス１０４には、入出力インターフェース１０５も接続されている。
入出力インターフェース１０５には、キーボード、マウス、タッチパネルなどよりなる入力装置１０６、ＬＣＤ（Liquid Crystal Display）、ＣＲＴ（Cathode Ray Tube）、有機ＥＬ（Electroluminescence）パネルなどよりなるディスプレイ、並びにスピーカなどよりなる出力装置１０７、ＨＤＤ（Hard Disk Drive）やフラッシュメモリ装置などより構成される記憶部１０８、通信ネットワーク２を介しての通信処理や機器間通信を行う通信部１０９が接続されている。
入出力インターフェース１０５にはまた、必要に応じてメディアドライブ１１０が接続され、磁気ディスク、光ディスク、光磁気ディスク、或いは半導体メモリなどのリムーバブルメディア１１１が適宜装着され、リムーバブルメディア１１１に対する情報の書込や読出が行われる。
【００３２】
このようなコンピュータ装置では、通信部１０９による通信によりデータやプログラムのアップロード、ダウンロードが行われる。また、リムーバブルメディア１１１を介したデータやプログラムの受け渡しが可能である。
ＣＰＵ１０１が各種のプログラムに基づいて処理動作を行うことで、仮想会議室サーバ１、参加者端末３、及び管理者端末４のそれぞれにおいて後述する情報処理や通信が実行される。
尚、仮想会議室サーバ１、参加者端末３、及び管理者端末４を構成するそれぞれの情報処理装置は、図３のようなコンピュータ装置が単一で構成されることに限らず、システム化された複数のコンピュータ装置によって構成されてもよい。複数のコンピュータ装置は、ＬＡＮなどによりシステム化されていてもよいし、インターネットなどを利用したＶＰＮ（Virtual Private Network）などにより通信可能な状態で遠隔地に配置されたものでもよい。
【００３３】
＜３．各種データベース＞
会議室ＤＢ５０は、仮想会議室サーバ１が管理する仮想会議室の情報を記憶するＤＢである。会議室ＤＢ５０には、例えば、仮想会議室を特定するための会議室ＩＤ（Identification）や利用状況（空室状況）や利用開始日時などが記憶される。
【００３４】
参加者ＤＢ５１は、仮想会議室で行われる議論や討論に参加する参加者の情報を記憶するＤＢである。参加者ＤＢ５１には、例えば、参加者情報として、参加者ＩＤやログインＰＷ（Password）、参加者の氏名や住所や連絡先（電話番号やメールアドレス）などが記憶される。
【００３５】
ログＤＢ５２は、仮想会議室で行われた討論の内容を記憶するＤＢである。ログＤＢ５２には、例えば、仮想会議室の会議室ＩＤと、議論や討論に参加した参加者の参加者ＩＤが記憶される。参加者が議論の途中で仮想会議室への入退室を行った場合には、時間情報と共に入退室の情報も記憶される。また、仮想会議室においてなされた発言情報なども記憶される。発言情報としては、発言した時刻情報、発言した参加者ＩＤ（或いは参加者名）、その発言内容などが記憶される。
【００３６】
＜４．処理の流れ＞
人事担当者が管理者端末４を利用して参加者の発言を抽出するときの処理について、図４を参照して説明する。
先ず、管理者端末４はステップＳ１０１において、特定の参加者を検索するための検索条件を指定するための検索画面を管理者端末４上に表示する条件設定画面表示処理を実行する。検索画面の例を図５に示す。検索画面は、例えば、管理者端末４にインストールされたウェブブラウザ５上に表示され、検索条件としてのフリーワードを入力するための入力欄６、検索結果の絞り込みを行うための各種ドロップダウンリスト７，７，・・・検索を実行する検索ボタン８が備えられている。
【００３７】
入力欄６に入力された文字列は、参加者を抽出するための文字列であり、例えば、参加者の発言内容に関する文字列や、参加者の属性やプロフィールに関する文字列である。
また、入力欄６に複数の文字列（または文章）が入力された場合、ＡＮＤ検索やＯＲ検索が実行される。
ドロップダウンリスト７は、元に参加者を抽出するための参加者の属性やプロフィールを選択可能に構成されている。例えば、学歴のドロップダウンリスト７では、「高卒」、「大卒」、「大卒見込み」などの項目が選択可能とされている。
【００３８】
検索ボタン８は、入力欄６やドロップダウンリスト７，７，・・・によって入力或いは選択された情報を元に検索処理を仮想会議室サーバ１に実行させるためのボタンである。
人事担当者が検索ボタン８を押下すると、図４のステップＳ１０２の条件送信処理が管理者端末４において実行される。条件送信処理では、検索条件（即ち、入力欄６やドロップダウンリスト７，７，・・・によって入力或いは選択された情報）が仮想会議室サーバ１へ送信される。
【００３９】
続いて、仮想会議室サーバ１は、ステップＳ２０１において、検索条件を受信する条件入力受付処理を実行する。
次に、仮想会議室サーバ１はステップＳ２０２において、参加者抽出処理を実行する。参加者抽出処理では、受信した検索条件に基づいた検索が実行されて、対象の参加者（抽出人物）が抽出される。
更に、仮想会議室サーバ１はステップＳ２０３において、ステップＳ２０２で抽出した抽出人物を管理者端末４に提示する抽出参加者提示処理を実行する。抽出参加者提示処理では、抽出した各参加者に対する選択操作が可能な状態で（例えば、クリック操作が可能な状態で）管理者端末４上へ表示させるためのウェブページデータが送信される。
【００４０】
抽出人物の情報を含んだウェブページデータを受信した管理者端末４は、ステップＳ１０３において、抽出参加者表示処理を実行する。抽出参加者表示処理では、図５の検索画面で指定した検索条件に基づいて抽出された検索結果としての参加者が表示される抽出参加者表示画面をウェブブラウザ５上に表示させる処理である。
【００４１】
抽出参加者表示画面の一例を図６に示す。抽出参加者表示画面には、図５と同様に各種の検索条件が表示され、その下方には、抽出参加者表示欄９が設けられている。
抽出参加者表示欄９には、検索条件に合致し抽出された各参加者が抽出参加者１０，１０，１０として表示されている。抽出参加者１０としては、選択操作（例えばクリック操作）が可能な文字列（参加者名）が表示される。
【００４２】
人事担当者が抽出参加者１０として表示された文字列の何れかを選択すると、図４のステップＳ１０４の参加者選択処理が管理者端末４において実行される。
参加者選択処理では、人事担当者が選択した参加者（選択人物）の情報（参加者選択情報）を仮想会議室サーバ１へ送信する処理を実行する。
【００４３】
参加者選択情報を受信した仮想会議室サーバ１は、続くステップＳ２０４において、選択人物の発言履歴を抽出する発言履歴抽出処理を実行する。
そして、仮想会議室サーバ１はステップＳ２０５において、抽出した発言履歴を管理者端末４へ送信し、管理者端末４上へ表示させる発言履歴提示処理を実行する。この処理では、発言履歴のそれぞれの発言に対する選択操作が可能な状態で（例えば、クリック操作が可能な状態で）管理者端末４上へ表示させるためのウェブページデータが、発言履歴情報として送信される。
【００４４】
発言履歴情報を受信した管理者端末４は、次のステップＳ１０５において、発言履歴情報を管理者端末４上の発言履歴表示画面に表示させる発言履歴表示処理を実行する。
【００４５】
発言履歴表示画面の一例を図７に示す。尚、図７は、人事担当者が図６に示す抽出参加者表示画面に表示された各参加者（Ａさん、Ｂさん、Ｇさん）からＢさんを選択した場合を示している。ウェブブラウザ５上に表示された発言履歴表示画面には、Ｂさんが既に発言した内容が時系列に沿って表示されている。尚、図中では、古い発言が上部に表示されるように並んでいるが、新しい発言が上部に表示されるように並べられていてもよい。
図７に示すＢさんの各発言は、選択操作が可能な文字列として表示される。
尚、各発言が選択操作可能な文字列で構成される代わりに、前後発言を表示させるためのボタンを発言ごとに設けてもよい。
【００４６】
続いて、人事担当者が発言履歴表示画面に表示されたＢさんの各発言のうちの一つを選択すると、管理者端末４はステップＳ１０６において、発言選択処理を実行する。発言選択処理では、人事担当者が選択した発言（選択発言）が選択発言情報として仮想会議室サーバ１へ送信される。
【００４７】
選択発言情報を受信した仮想会議室サーバ１は、続くステップＳ２０６において、前後発言抽出処理を実行する。前後発言抽出処理は、選択発言の前後の発言を抽出する処理である。
前後の発言としては、例えば、選択発言がどのような流れで書き込まれたものであるかを把握するために、選択発言の前の発言のみを抽出してもよい。また、選択発言に基づきどのような議論がなされたかを把握するために、選択発言の後の発言のみを抽出してもよい。また、前後それぞれ一部の発言を抽出してもよい。これらの具体的な例は後述する。
【００４８】
続いて、仮想会議室サーバ１はステップＳ２０７において、抽出された前後発言を管理者端末４へ送信し、管理者端末４上へ表示させる前後発言提示処理を実行する。前後発言提示処理では、抽出された前後発言が前後発言情報として管理者端末４へ送信される。
尚、前後発言情報では、前後発言と共に表示する発言者の情報も送信される。
【００４９】
前後発言情報を受信した管理者端末４は、ステップＳ１０７において、前後発言を管理者端末４上の前後発言表示画面に表示させる前後発言表示処理を実行する。
これにより、人事担当者は、管理者端末４上に表示された選択人物の選択発言と前後発言を確認することができ、選択人物の評価を行うことができる。
また、選択発言と前後発言を管理者端末４上に表示させる場合に、各発言を行った参加者がわかるように識別情報（例えば、発言者の参加者ＩＤや参加者名など）を発言と共に表示させる。識別情報は、管理者端末４上に表示させる発言全てに対して表示させる必要はなく、具体例を以下で述べる。
【００５０】
＜５．前後発言表示画面＞
［５−１．第１例］
前後発言表示画面の第１例では、選択発言の前と後の発言それぞれ１０個ずつが表示される例を、図８を参照して説明する。即ち、前後発言表示画面には、２１個の発言が表示される。また、２１個の発言それぞれに対して、発言者を特定する識別情報を表示させる。
【００５１】
図８に示すように、前後発言表示画面では、囲み線１１で囲まれて明確にされた選択発言と、前後発言２０個が表示されている。また、それぞれの発言には、発言者（Ａさん、Ｂさん、Ｃさん、Ｄさん）を特定するための識別情報として、参加者名が表示されている。
更に、この議論が行われた当時の参加者を発言履歴の右側に表示する。例えば、議論に参加している参加者は、Ａさん、Ｂさん、Ｃさん、Ｄさん、Ｅさん、Ｆさん、Ｇさんであったが、図８に示す議論が行われていた時分（１５時２２分５１秒〜１５時２７分０３秒）に会議室に入室していた参加者がＡさん、Ｂさん、Ｃさん、Ｄさん、Ｅさんのみであった場合、参加者としてＡさん、Ｂさん、Ｃさん、Ｄさん、Ｅさんが発言履歴の右側に表示される。
尚、議論が行われた当時の参加者は、ログＤＢ５２に記憶された時間情報と入退室情報に基づいて特定することが可能である。
【００５２】
人事担当者は、図８の前後発言表示画面を閲覧することにより、どのような議論の中でＢさんの選択発言がなされ、その結果どのような議論が続いたかを把握することができる。
【００５３】
［５−２．第２例］
前後発言表示画面の第２例では、第１例と同様に、選択発言の前と後の発言それぞれ１０個ずつが表示される（図９参照）。また、前後発言表示画面に表示された２１個の発言の中で、抽出人物以外が行った発言に対してのみ、発言者を特定する識別情報を表示させる。抽出人物以外とは、図４のステップＳ２０３の抽出参加者提示処理で抽出された抽出人物（即ち、Ａさん、Ｂさん、Ｇさん）以外である。従って、図９においては、入室していた参加者はＡさん、Ｂさん、Ｃさん、Ｄさん、Ｅさんの５名であるが、抽出人物以外の参加者であるＣさん、Ｄさん、Ｅさんのそれぞれの発言に対して発言者を特定する識別情報が表示される。
【００５４】
これにより、注目している参加者（抽出人物）以外の発言が明確にされ、抽出人物以外の参加者（検索条件に合致していない参加者）が行った注目すべき発言を見逃してしまうことを抑制することができる。
【００５５】
［５−３．第３例］
前後発言表示画面の第３例では、第１例と同様に、選択発言の前と後の発言それぞれ１０個ずつが表示される（図１０参照）。また、前後発言表示画面に表示された２１個の発言の中で、抽出人物が行った発言に対してのみ、発言者を特定する識別情報を表示させる。抽出人物とは、図４のステップＳ２０３の抽出参加者提示処理で抽出された抽出人物（即ち、Ａさん、Ｂさん、Ｇさん）である。従って、図１０においては、参加者Ａさん、Ｂさん、Ｃさん、Ｄさん、Ｅさんのうち、Ａさん及びＢさんの発言に対してのみ、発言者を特定する識別情報が表示される。
【００５６】
これにより、抽出人物が行った発言が明確化されるため、抽出人物の評価を容易に行うことができる。
【００５７】
［５−４．第４例］
前後発言表示画面の第４例では、第１例と同様に、選択発言の前と後の発言それぞれ１０個ずつが表示される（図１１参照）。また、前後発言表示画面に表示された２１個の発言の中で、選択発言の前後何れにも発言している参加者の発言に対してのみ、発言者を特定する識別情報を表示させる。
具体的には、図１１に示すように、Ａさん、Ｂさん、Ｃさん、Ｄさんは、選択発言の前にも後にも発言を行っている。一方、Ｅさんについては、選択発言の後にのみ発言を行っている。従って、Ｅさんを除いた各参加者の発言に対してのみ、参加者を特定する識別情報が表示される。
【００５８】
これにより、選択発言を通じてＢさんを評価する際に重要な参加者が明確化され、Ｂさんの評価を適切に行うことができる。
尚、２１個の発言の中で、選択発言の前後何れにも発言している参加者の発言に対してのみ、発言者を特定する識別情報を表示させたが、２１個の発言に限らずに選択発言の前後何れにも発言している参加者の発言に対してのみ、発言者を特定する識別情報を表示させてもよい。
【００５９】
また、本例と先の第２例と組み合わせてもよい。具体的には、抽出人物以外であるＣさん、Ｄさん、Ｅさんの中で、選択発言の選択発言の前後何れにも発言している参加者の発言に対してのみ、発言者を特定する識別情報を表示させる。即ち、Ｃさん、Ｄさんの発言に対してのみ、発言者を特定する識別情報を表示させる。
【００６０】
更に、本例と先の第３例と組み合わせてもよい。具体的には、抽出人物であるＡさん、Ｂさん、Ｇさんの中で、選択発言の選択発言の前後何れにも発言している参加者の発言に対してのみ、発言者を特定する識別情報を表示させる。即ち、Ａさん、Ｂさんの発言に対してのみ、発言者を特定する識別情報を表示させる。
【００６１】
［５−５．第５例］
前後発言表示画面の第５例では、第１例と同様に、選択発言の前と後の発言それぞれ１０個ずつが表示される（図１２参照）。また、前後発言表示画面に表示された２１個の発言の中で、選択発言（図１２における１２）の発言者（即ちＢさん）が行った選択発言の一つ前の発言（図１２における１２ａ）と一つ後の発言（図１２における１２ｂ）に着目し、選択発言１２と一つ前発言１２ａの間に発言している参加者、または、選択発言１２と一つ後発言１２ｂの間に発言している参加者に対してのみ、発言者を特定する識別情報が表示される。
具体的には、図１２において、選択発言１２と一つ前発言１２ａの間に発言している参加者は、Ａさん、Ｃさん、Ｄさんとなる。また、選択発言１２と一つ後発言１２ｂの間に発言している参加者は、Ａさん、Ｅさんとなる。従って、第５例では、Ａさん、Ｃさん、Ｄさん、Ｅさんの発言に対してのみ、発言者を特定する識別情報が表示される。
【００６２】
これにより、選択発言を通じてＢさんを評価する際に重要な参加者が明確化され、Ｂさんの評価を適切に行うことができる。
【００６３】
また、本例と先の第２例と組み合わせてもよい。具体的には、抽出人物以外であるＣさん、Ｄさん、Ｅさんの中で、選択発言１２と一つ前発言１２ａの間に発言している参加者、または、選択発言１２と一つ後発言１２ｂの間に発言している参加者に対してのみ、発言者を特定する識別情報を表示させる。即ち、Ｃさん、Ｄさん、Ｅさんの発言に対してのみ、発言者を特定する識別情報を表示させる。
【００６４】
更に、本例と先の第３例と組み合わせてもよい。具体的には、抽出人物であるＡさん、Ｂさん、Ｇさんの中で、選択発言１２と一つ前発言１２ａの間に発言している参加者、または、選択発言１２と一つ後発言１２ｂの間に発言している参加者に対してのみ、発言者を特定する識別情報を表示させる。即ち、Ａさんの発言に対してのみ、発言者を特定する識別情報を表示させる。
【００６５】
＜６．前後発言抽出処理の別の例＞
［６−１．別の第１例］
前後発言抽出処理の別の第１例を図１３を参照して説明する。
前後発言抽出処理の別の第１例では、先の前後発言抽出処理と同様に、選択発言の前後の一部（例えば、所定数）の発言を抽出する。但し、議論の流れを把握する上でそれほど重要でない発言を省くために、所定の文字数以上の発言のみを抽出対象とする。
具体的には、所定の文字数を５文字とした場合、１文字乃至４文字からなる発言は抽出対象としない。即ち、図８における１５時２２分５７秒のＡさんの発言と、１５時２４分２１秒のＢさんの発言と、１５時２５分０９秒のＥさんの発言は抽出対象としない。従って、前後発言表示画面としては、図１３に示すように、抽出された５文字以上の発言のみが表示される。
【００６６】
これにより、例えば、議論の大筋を把握する上で不要となる単なる相槌などの発言が前後発言抽出処理の抽出対象から除かれ、議論の内容の把握を容易にすることができる。
【００６７】
［６−２．別の第２例］
前後発言抽出処理の別の第２例を図１４を参照して説明する。
前後発言抽出処理の別の第２例では、前後発言抽出処理としてこれまで説明してきたそれぞれの処理に加えて、議論の結論を示した発言をまとめ発言として特定する処理を実行する。
まとめ発言の特定は、例えば、発言内容を自動的に判定（例えば、「まとめ」や「結論」などの所定の文字列を含む発言を自動的にまとめ発言として判定）してもよいし、各発言の中からまとめ発言を各参加者や人事担当者が指定できる機能が仮想会議室に設けられていてもよいし、一連の議論の最終発言（但し、「それでは失礼します」などのあいさつのみの発言は除く）をまとめ発言として判定してもよい。
【００６８】
議論の結論を示した発言をまとめ発言として特定する処理を実行する前後発言抽出処理が実行された場合の管理者端末４の前後発言表示処理では、例えば、図１４に示す前後発言表示画面を管理者端末４上に表示する。
具体的には、図１４に示すように、Ａさんのまとめ発言が発言履歴の下方に表示される。
これにより、評価する対象であるＢさんの選択発言が、まとめ発言に対してどのような位置づけであったのかを把握することができ、Ｂさんの評価をより適切に行うことができる。
【００６９】
＜７．変形例＞
先の図４のステップＳ２０５の発言履歴提示処理において、管理者端末４上へ表示させる発言履歴は、常に最新のものとなるようにしてもよい。具体的には、ステップＳ２０５の発言履歴提示処理を実行した後に選択人物が新たな発言を行った場合、再びステップＳ２０４及びステップＳ２０５の処理を実行して、管理者端末４上に表示される発言履歴が更新されるようにしてもよい。
これにより、人事担当者は常に最新の発言履歴を閲覧することができるため、選択人物の評価を適切に行うことができる。
【００７０】
尚、上記したそれぞれの前後発言表示画面では、特定の発言者が行った発言に対して識別情報（例えば発言者の参加者名）を表示したが、異なる方法で特定の発言者を識別しやすくしてもよい。具体的には、例えば、全ての発言に対して発言者を明記すると共に、特定の発言者の識別情報（発言者名）を太字や色付き文字で表示するなどしてもよい。
これにより、上記したそれぞれの例において、各効果を得ることができる。
【００７１】
図８乃至図１４に示した各前後発言表示画面において、発言履歴の右側に表示された参加者一覧と共に、それぞれの参加者が発言した発言数を表示してもよい。発言数は、抽出した前後発言の中での発言数でもよいし、それ以外の発言も含めた全発言数でもよい。
これにより、各参加者を評価する上での指標としての発言数を提示することができる。
【００７２】
図８乃至図１４に示した各前後発言表示画面において、発言者の識別情報（例えば参加者名）を、参加者ごとに異なる色で表示してもよい。
これにより、各参加者を識別しやすくすることができる。
また、参加者名だけでなく、発言の色も参加者に応じて異なるようにしてもよい。
【００７３】
＜８．まとめ＞
これまで説明してきたように、仮想会議室サーバ１は、参加者を検索するための検索条件の入力を受け付ける条件入力受付処理（ステップＳ２０１）を実行する条件受付部１ａと、検索条件に基づいて参加者の検索を行い、検索結果として抽出した抽出人物のそれぞれを選択可能に提示する参加者検索処理部１ｂと、参加者検索処理部が提示した抽出人物の中から選択された選択人物の発言履歴を抽出する発言履歴抽出処理（ステップＳ２０４）を実行する発言履歴抽出部１ｃと、発言履歴抽出処理で抽出した発言履歴のそれぞれの発言を選択可能に提示する発言履歴提示処理（ステップＳ２０５）を実行する発言履歴提示部１ｄと、選択可能に提示された発言から選択された選択発言の前または後の一部の発言を抽出する前後発言抽出処理（ステップＳ２０６）を実行する前後発言抽出部１ｅと、選択発言と共に前後発言抽出処理で抽出した発言を提示する前後発言提示処理（ステップＳ２０７）を実行する前後発言提示部１ｆとを備えている。
【００７４】
これにより、仮想会議室で行われる全ての発言を確認しなくても選択人物の選択発言の位置づけなどを確認することができるため、議論に参加する参加者を効率よく評価することができる環境を提供することができる。
【００７５】
また、前後発言表示画面の第１例乃至第５例で説明したように、前後発言提示処理（ステップＳ２０７）では、抽出した発言の提示と共に、当該発言を行った参加者のうち少なくとも一部の参加者の識別情報（参加者ＩＤや参加者名など）を提示する。
【００７６】
これにより、各発言の位置づけや関係性が容易に把握可能とされ、議論の流れを掴みやすくすることができる。
【００７７】
更に、前後発言表示画面の第２例で説明したように、前後発言提示処理（ステップＳ２０７）では、当該発言を行った参加者のうち、抽出人物以外の参加者のみ識別情報を提示する。
【００７８】
これにより、検索条件に合致していない参加者の発言が識別情報と共に提示されるため、検索条件に合致していない参加者の行った注目すべき発言から、その発言を行った参加者を把握することが容易となり、当該参加者が注目すべき対象から漏れてしまうことを防止することができる。即ち、人事担当者が当初着目していた参加者（選択人物）以外の参加者についても、着目させることができる。
【００７９】
更にまた、前後発言表示画面の第３例で説明したように、前後発言提示処理（ステップＳ２０７）では、当該発言を行った参加者のうち、抽出人物のみ識別情報を提示する。
【００８０】
これにより、検索条件に合致した参加者の発言が識別情報と共に提示されるため、検索条件に合致する参加者の中での注目すべき発言を容易に判別することが可能となる。また、抽出人物に含まれていれば、人事担当者が当初着目していた参加者（選択人物）以外の参加者であっても、着目させることができる。
【００８１】
加えて、前後発言表示画面の第４例で説明したように、前後発言提示処理（ステップＳ２０７）では、当該発言を行った参加者のうち、選択発言の前と後の双方に発言を行った参加者のみ識別情報を提示する。
【００８２】
これにより、選択人物の評価を行う上で重要な会話のやりとりを行っていると推定される参加者の識別情報が発言と共に提示されるため、選択人物の評価を行いやすくすることができる。また、人事担当者が当初着目していた参加者（選択人物）以外の参加者（即ち、重要な会話のやりとりを行っていると推定される参加者）についても、着目させることができる。
【００８３】
そして、前後発言表示画面の第５例で説明したように、前後発言提示処理（ステップＳ２０７）では、当該発言を行った参加者のうち、選択発言と選択人物が選択発言の一つ前または一つ後に行ったいずれかの発言との間に発言を行った参加者のみ識別情報を提示する。
【００８４】
これにより、選択人物の評価を行う上で重要な会話のやりとりを行っていると推定される参加者の識別情報が発言と共に提示されるため、選択人物の評価を行いやすくすることができる。また、人事担当者が当初着目していた参加者（選択人物）以外の参加者（即ち、重要な会話のやりとりを行っていると推定される参加者）についても、着目させることができる。
【００８５】
また、前後発言抽出処理の別の第１例で説明したように、前後発言抽出処理（ステップＳ２０６）では、所定の文字数以上の発言のみを抽出する。
【００８６】
これにより、例えば、相槌を打つだけの文字数の少ない発言は抽出されないため、会話の流れの大筋を把握し易くすることができる。
【００８７】
更に、上記した各例で説明したように、前後発言提示処理（ステップＳ２０７）では、選択発言が行われたときの参加者全てを提示する。
【００８８】
これにより、選択発言が行われたときの状況を把握するための情報が提示され、選択人物の評価を行いやすくすることができる。
【００８９】
更にまた、前後発言抽出処理の別の第２例で説明したように、議論の結論を示した発言をまとめ発言として特定する結論特定部１ｇを備え、前後発言提示処理（ステップＳ２０７）では、選択発言と共に選択発言の後に発言されたまとめ発言を提示する。
【００９０】
これにより、選択発言と議論の結論が共に提示されるため、選択人物の評価を行いやすくすることができる。
【００９１】
加えて、変形例で説明したように、発言履歴提示処理（ステップＳ２０５）では、選択人物の新規発言によって発言履歴が更新されるごとに更新された発言履歴を提示する。
【００９２】
これにより、会議室に入室しなくとも選択人物の発言履歴が更新されるため、新規発言の確認を容易に行うことができ、選択人物の評価を適切に行うことができる。
【００９３】
また、前後発言抽出処理では、選択発言の前または後の一部の発言として、所定数の発言を抽出してもよい。
【００９４】
これにより、前後発言抽出処理において、発言の内容などを加味することないため、処理が簡易化される。
【００９５】
＜９．プログラム及び記憶媒体＞
以上、本発明の仮想会議室サーバ１を説明してきたが、実施の形態のプログラムは、仮想会議室サーバ１における処理を演算処理装置（ＣＰＵなど）に実行させるプログラムである。
【００９６】
実施の形態のプログラムは、参加者を検索するための検索条件の入力を受け付ける手順を演算処理装置に実行させる。
また、検索条件に基づいて参加者の検索を行い、検索結果として抽出した抽出人物のそれぞれを選択可能に提示する手順を演算処理装置に実行させる。
更に、抽出人物の中から選択された選択人物の発言履歴を抽出する手順を演算処理装置に実行させる。
更にまた、抽出した発言履歴のそれぞれの発言を選択可能に提示する手順を演算処理装置に実行させる。
加えて、選択可能に提示された発言から選択された選択発言の前または後の一部の発言を前後発言として抽出する手順を演算処理装置に実行させる。
そして、選択発言と共に前後発言を提示する手順を演算処理装置に実行させる。
即ちこのプログラムは、演算処理装置に対して、図４のステップＳ２０１乃至Ｓ２０７の各処理を実行させるプログラムである。
【００９７】
このようなプログラムにより、上述した仮想会議室サーバ１を実現できる。
そしてこのようなプログラムはコンピュータ装置などの機器に内蔵されている記憶媒体としてのＨＤＤや、ＣＰＵを有するマイクロコンピュータ内のＲＯＭなどに予め記憶しておくことができる。或いはまた、半導体メモリ、メモリカード、光ディスク、光磁気ディスク、磁気ディスクなどのリムーバブル記憶媒体に、一時的或いは永続的に格納（記憶）しておくことができる。またこのようなリムーバブル記憶媒体は、いわゆるパッケージソフトウェアとして提供することができる。
また、このようなプログラムは、リムーバブル記憶媒体からパーソナルコンピュータなどにインストールする他、ダウンロードサイトから、ＬＡＮ、インターネットなどのネットワークを介してダウンロードすることもできる。
【符号の説明】
【００９８】
１  仮想会議室サーバ、１ａ  条件受付部、１ｂ  参加者検索処理部、１ｃ  発言履歴抽出部、１ｄ  発言履歴提示部、１ｅ  前後発言抽出部、１ｆ  前後発言提示部、１ｇ  結論特定部、２  通信ネットワーク、３  参加者端末、４  管理者端末、５０  会議室ＤＢ、５１  参加者ＤＢ、５２  ログＤＢ
【図１】
2016189685.tif 000003
【図２】
2016189685.tif 000004
【図３】
2016189685.tif 000005
【図４】
2016189685.tif 000006
【図５】
2016189685.tif 000007
【図６】
2016189685.tif 000008
【図７】
2016189685.tif 000009
【図８】
2016189685.tif 000010
【図９】
2016189685.tif 000011
【図１０】
2016189685.tif 000012
【図１１】
2016189685.tif 000013
【図１２】
2016189685.tif 000014
【図１３】
2016189685.tif 000015
【図１４】
2016189685.tif 000016
【手続補正書】
【提出日】平成28年10月28日(2016.10.28)
【手続補正１】
【補正対象書類名】特許請求の範囲
【補正対象項目名】全文
【補正方法】変更
【補正の内容】
【特許請求の範囲】
【請求項１】
参加者評価を支援するサービスを提供する情報処理装置であって、
参加者を検索するための検索条件の入力を受け付ける条件入力受付処理を実行する条件受付部と、
前記検索条件に基づいて参加者の検索を行い、検索結果として抽出した抽出人物のそれぞれを選択可能に提示する参加者検索処理部と、
前記参加者検索処理部が提示した抽出人物の中から選択された選択人物の発言履歴を抽出する発言履歴抽出処理を実行する発言履歴抽出部と、
前記発言履歴抽出処理で抽出した発言履歴のそれぞれの発言を選択可能に提示する発言履歴提示処理を実行する発言履歴提示部と、
前記選択可能に提示された発言から選択された選択発言の前または後の一部の発言を抽出する前後発言抽出処理を実行する前後発言抽出部と、
前記選択発言と前記前後発言抽出処理で抽出した発言と共に、当該発言を行った参加者のうち一部の参加者の識別情報のみを提示する前後発言提示処理を実行する前後発言提示部とを備える
情報処理装置。
【請求項２】
前記前後発言提示処理では、当該発言を行った参加者のうち、前記抽出人物以外の参加者のみ識別情報を提示する
請求項１に記載の情報処理装置。
【請求項３】
前記前後発言提示処理では、当該発言を行った参加者のうち、前記抽出人物のみ識別情報を提示する
請求項１に記載の情報処理装置。
【請求項４】
前記前後発言提示処理では、当該発言を行った参加者のうち、前記選択発言の前と後の双方に発言を行った参加者のみ識別情報を提示する
請求項２または請求項３に記載の情報処理装置。
【請求項５】
前記前後発言提示処理では、当該発言を行った参加者のうち、前記選択発言と前記選択人物が前記選択発言の一つ前または一つ後に行ったいずれかの発言との間に発言を行った参加者のみ識別情報を提示する
請求項２または請求項３に記載の情報処理装置。
【請求項６】
前記前後発言抽出処理では、所定の文字数以上の発言のみを抽出する
請求項１に記載の情報処理装置。
【請求項７】
前記前後発言提示処理では、前記選択発言が行われたときの参加者全てを提示する
請求項１に記載の情報処理装置。
【請求項８】
議論の結論を示した発言をまとめ発言として特定する結論特定部を備え、
前記前後発言提示処理では、前記選択発言と共に前記選択発言の後に発言された前記まとめ発言を提示する
請求項１に記載の情報処理装置。
【請求項９】
前記発言履歴提示処理では、前記選択人物の新規発言によって発言履歴が更新されるごとに更新された発言履歴を提示する
請求項１に記載の情報処理装置。
【請求項１０】
参加者評価を支援するサービスを提供するための情報処理方法であって、
参加者を検索するための検索条件の入力を受け付ける条件入力受付処理ステップと、
前記検索条件に基づいて参加者の検索を行い、検索結果として抽出した抽出人物のそれぞれを選択可能に提示する参加者抽出処理ステップと、
前記参加者抽出処理ステップで提示した抽出人物の中から選択された選択人物の発言履歴を抽出する発言履歴抽出処理ステップと、
前記発言履歴抽出処理ステップで抽出した発言履歴のそれぞれの発言を選択可能に提示する発言履歴提示処理ステップと、
前記選択可能に提示された発言から選択された選択発言の前または後の一部の発言を抽出する前後発言抽出処理ステップと、
前記選択発言と前記前後発言抽出処理ステップで抽出した発言と共に、当該発言を行った参加者のうち一部の参加者の識別情報のみを提示する前後発言提示処理ステップとを
情報処理装置に実行させる情報処理方法。
【請求項１１】
参加者評価を支援するサービスを提供する情報処理装置に実行させるプログラムであって、
参加者を検索するための検索条件の入力を受け付ける手順と、
前記検索条件に基づいて参加者の検索を行い、検索結果として抽出した抽出人物のそれぞれを選択可能に提示する手順と、
前記抽出人物の中から選択された選択人物の発言履歴を抽出する手順と、
前記抽出した発言履歴のそれぞれの発言を選択可能に提示する手順と、
前記選択可能に提示された発言から選択された選択発言の前または後の一部の発言を前後発言として抽出する手順と、
前記選択発言と前記前後発言と共に、当該発言を行った参加者のうち一部の参加者の識別情報のみを提示する手順とを
実行させるプログラム。
【請求項１２】
参加者評価を支援するサービスを提供する情報処理装置に実行させるプログラムであって、
参加者を検索するための検索条件の入力を受け付ける手順と、
前記検索条件に基づいて参加者の検索を行い、検索結果として抽出した抽出人物のそれぞれを選択可能に提示する手順と、
前記抽出人物の中から選択された選択人物の発言履歴を抽出する手順と、
前記抽出した発言履歴のそれぞれの発言を選択可能に提示する手順と、
前記選択可能に提示された発言から選択された選択発言の前または後の一部の発言を前後発言として抽出する手順と、
前記選択発言と前記前後発言と共に、当該発言を行った参加者のうち一部の参加者の識別情報のみを提示する手順とを
実行させるプログラムを記憶した記憶媒体。
【手続補正２】
【補正対象書類名】明細書
【補正対象項目名】０００５
【補正方法】変更
【補正の内容】
【０００５】
本発明に係る情報処理装置は、参加者評価を支援するサービスを提供する情報処理装置であって、参加者を検索するための検索条件の入力を受け付ける条件入力受付処理を実行する条件受付部と、前記検索条件に基づいて参加者の検索を行い、検索結果として抽出した抽出人物のそれぞれを選択可能に提示する参加者検索処理部と、前記参加者検索処理部が提示した抽出人物の中から選択された選択人物の発言履歴を抽出する発言履歴抽出処理を実行する発言履歴抽出部と、前記発言履歴抽出処理で抽出した発言履歴のそれぞれの発言を選択可能に提示する発言履歴提示処理を実行する発言履歴提示部と、前記選択可能に提示された発言から選択された選択発言の前または後の一部の発言を抽出する前後発言抽出処理を実行する前後発言抽出部と、前記選択発言と前記前後発言抽出処理で抽出した発言と共に、当該発言を行った参加者のうち一部の参加者の識別情報のみを提示する前後発言提示処理を実行する前後発言提示部とを備えたものである。
これにより、注目したい人物（検索条件により抽出された抽出人物から選択された選択人物）の発言履歴が抽出されて提示されると共に、選択発言を前後の他人の発言と共に抽出して提示する環境が提供される。
【手続補正３】
【補正対象書類名】明細書
【補正対象項目名】００１５
【補正方法】変更
【補正の内容】
【００１５】
本発明に係る情報処理方法は、参加者評価を支援するサービスを提供するための情報処理方法であって、参加者を検索するための検索条件の入力を受け付ける条件入力受付処理ステップと、前記検索条件に基づいて参加者の検索を行い、検索結果として抽出した抽出人物のそれぞれを選択可能に提示する参加者抽出処理ステップと、前記参加者抽出処理ステップで提示した抽出人物の中から選択された選択人物の発言履歴を抽出する発言履歴抽出処理ステップと、前記発言履歴抽出処理ステップで抽出した発言履歴のそれぞれの発言を選択可能に提示する発言履歴提示処理ステップと、前記選択可能に提示された発言から選択された選択発言の前または後の一部の発言を抽出する前後発言抽出処理ステップと、前記選択発言と前記前後発言抽出処理ステップで抽出した発言と共に、当該発言を行った参加者のうち一部の参加者の識別情報のみを提示する前後発言提示処理ステップとを、情報処理装置に実行させるものである。
この情報処理方法により、議論に参加する参加者を効率よく評価することができる環境を提供するための処理が実行される。
【手続補正４】
【補正対象書類名】明細書
【補正対象項目名】００３１
【補正方法】変更
【補正の内容】
【００３１】
＜２．ハードウエア構成＞
図３は、図１に示した仮想会議室サーバ１、参加者端末３、及び管理者端末４のハードウエアを例示する図である。それぞれのサーバや端末におけるコンピュータ装置のＣＰＵ（Central Processing Unit）１０１は、ＲＯＭ（Read Only Memory）１０２に記憶されているプログラム、または記憶部１０８からＲＡＭ（Random Access Memory）１０３にロードされたプログラムに従って各種の処理を実行する。ＲＡＭ１０３にはまた、ＣＰＵ１０１が各種の処理を実行する上において必要なデータなども適宜記憶される。
ＣＰＵ１０１、ＲＯＭ１０２、およびＲＡＭ１０３は、バス１０４を介して相互に接続されている。このバス１０４には、入出力インタフェース１０５も接続されている。
入出力インタフェース１０５には、キーボード、マウス、タッチパネルなどよりなる入力装置１０６、ＬＣＤ（Liquid Crystal Display）、ＣＲＴ（Cathode Ray Tube）、有機ＥＬ（Electroluminescence）パネルなどよりなるディスプレイ、並びにスピーカなどよりなる出力装置１０７、ＨＤＤ（Hard Disk Drive）やフラッシュメモリ装置などより構成される記憶部１０８、通信ネットワーク２を介しての通信処理や機器間通信を行う通信部１０９が接続されている。
入出力インタフェース１０５にはまた、必要に応じてメディアドライブ１１０が接続され、磁気ディスク、光ディスク、光磁気ディスク、或いは半導体メモリなどのリムーバブルメディア１１１が適宜装着され、リムーバブルメディア１１１に対する情報の書込や読出が行われる。
【手続補正５】
【補正対象書類名】明細書
【補正対象項目名】００９６
【補正方法】変更
【補正の内容】
【００９６】
実施の形態のプログラムは、参加者評価を支援するサービスを提供する情報処理装置に実行させるプログラムであって、参加者を検索するための検索条件の入力を受け付ける手順を演算処理装置に実行させる。
また、検索条件に基づいて参加者の検索を行い、検索結果として抽出した抽出人物のそれぞれを選択可能に提示する手順を演算処理装置に実行させる。
更に、抽出人物の中から選択された選択人物の発言履歴を抽出する手順を演算処理装置に実行させる。
更にまた、抽出した発言履歴のそれぞれの発言を選択可能に提示する手順を演算処理装置に実行させる。
加えて、選択可能に提示された発言から選択された選択発言の前または後の一部の発言を前後発言として抽出する手順を演算処理装置に実行させる。
そして、選択発言と前後発言と共に、当該発言を行った参加者のうち一部の参加者の識別情報のみを提示する手順を演算処理装置に実行させる。
即ちこのプログラムは、演算処理装置に対して、図４のステップＳ２０１乃至Ｓ２０７の各処理を実行させるプログラムである。
【国際調査報告】
2016189685.tif 000017
2016189685.tif 000018
2016189685.tif 000019
2016189685.tif 000020